(57)【要約】【課題】着色された枠部と、透光部との境界部分の見栄えが良好な表示装置を提供する。【解決手段】乗り物に搭載される表示装置１００は、表示部１０と、透光部３０と、枠部４２とを備える。表示部１０は、乗り物に関する情報を表示する。透光部３０は、表示部１０の前面側に位置し、透光性を有する板状の部材である。枠部４２は、透光部３０の外周端部に設けられ、当該外周端部における透光部３０の前面を覆う。枠部４２の前面側には有色層が設けられ、枠部４２は所定色で着色されている。透光部３０のうち、枠部４２と隣り合う部分の前面側には、背面側に向かって凹む溝３１が形成されている。【選択図】図２
2020140152.tif 000002
【特許請求の範囲】
【請求項１】
乗り物に搭載される表示装置であって、
前記乗り物に関する情報を表示する表示部と、
前記表示部の前面側に位置し、透光性を有する板状の透光部と、
前記透光部の外周端部に設けられ、前記外周端部における前記透光部の前面を覆う枠部と、を備え、
前記枠部の前面側には、有色層が設けられ、
前記透光部のうち、前記枠部と隣り合う部分の前面側には、背面側に向かって凹む溝が形成されている、
表示装置。
【請求項２】
前記透光部の背面側における前記溝と対向する部分には、前記有色層と同一又は類似の色による背面側有色層が設けられている、
請求項１に記載の表示装置。
【請求項３】
前記背面側有色層は、前記透光部の背面側における前記枠部と対向する部分にも設けられている、
請求項２に記載の表示装置。
【請求項４】
前記背面側有色層は、前記透光部の背面に形成され、
前記透光部の背面には、前記背面側有色層とは異なる色による特定有色層が形成され、
前記特定有色層は、前記背面側有色層と隣り合うとともに、前記背面側有色層よりも前記透光部の中心側に位置する、
請求項２又は３に記載の表示装置。
【請求項５】
前記溝の底面は、前記透光部の前面と背面との少なくともいずれかに対して傾斜している、
請求項１乃至４のいずれか１項に記載の表示装置。
【発明の詳細な説明】
【技術分野】
【０００１】
本発明は、乗り物に搭載される表示装置に関する。
【背景技術】
【０００２】
乗り物に搭載される表示装置として、例えば、特許文献１には、自動二輪車等に搭載されるメータ装置として構成された表示装置が開示されている。特許文献１に開示された表示装置は、表示部の前方に位置する板状の透光部（同文献ではメータレンズ５３）と、透光部の外周端部に設けられた枠部（同文献ではリム８１Ｆ）とを備えている（同文献の図４等参照）。
【先行技術文献】
【特許文献】
【０００３】
【特許文献１】特許第５６５０６２３号公報
【発明の概要】
【発明が解決しようとする課題】
【０００４】
上記のような構造の表示装置では、例えば、透光部と枠部とを一体化した後に枠部を着色する場合がある。このように枠部を着色する場合、例えば、透光部を塗装から保護するマスキング治具を用いて枠部を着色するが、マスキング治具と透光部との間に顔料が入り込んでしまうことがある。そうすると、枠部と透光部との境界部分が意図せずぼやけてしまい、見栄えを保てない虞がある。
【０００５】
本発明は、上記実情に鑑みてなされたものであり、着色された枠部と、透光部との境界部分の見栄えが良好な表示装置を提供することを目的とする。
【課題を解決するための手段】
【０００６】
上記目的を達成するため、本発明に係る表示装置は、
乗り物に搭載される表示装置であって、
前記乗り物に関する情報を表示する表示部と、
前記表示部の前面側に位置し、透光性を有する板状の透光部と、
前記透光部の外周端部に設けられ、前記外周端部における前記透光部の前面を覆う枠部と、を備え、
前記枠部の前面側には、有色層が設けられ、
前記透光部のうち、前記枠部と隣り合う部分の前面側には、背面側に向かって凹む溝が形成されている。
【発明の効果】
【０００７】
本発明によれば、着色された枠部と、透光部との境界部分の見栄えが良好な表示装置を提供することができる。
【図面の簡単な説明】
【０００８】
【図１】本発明の一実施形態に係る表示装置の平面図である。
【図２】表示装置の図１に示すＡ−Ａ線での概略断面図である。
【図３】図２に示すＤ部の拡大図である。
【図４】枠部の着色工程例を説明するための図である。
【図５】変形例１を説明するための図である。
【図６】変形例２を説明するための図である。
【発明を実施するための形態】
【０００９】
本発明の一実施形態に係る表示装置を、図面を参照して説明する。
【００１０】
図１に示す表示装置１００は、例えば、自動二輪車等の車両に搭載され、車速、エンジン回転数、残燃料などの車両に関する計測量をユーザ（主に運転者）に報知する車両用計器として構成される。表示装置１００は、例えば、自動二輪車のハンドル近傍に配設される。
【００１１】
以下では、構成の理解を容易にするために、表示装置１００を断面で表した図２における上方を前面側とし、下方を背面側として、表示装置１００を構成する各部を適宜、説明する。なお、図２において、前面側を「Ｆ」、背面側を「Ｂ」と表した。また、図２では、見易さを考慮して断面を示すハッチングを省略した。
【００１２】
表示装置１００は、図１〜図３に示すように、表示部１０と、回路基板２０と、透光部３０と、第１ケース４０と、第２ケース５０と、インナーケース６０と、を備える。
【００１３】
表示部１０は、前述した車速などの計測量を表示するものであり、ディスプレイ１１と、意匠板１２と、を有する。
【００１４】
ディスプレイ１１は、例えば、液晶ディスプレイ（ＬＣＤ：Liquid Crystal Display）から構成され、後述の制御部（図示せず）の制御の下で、車速などの計測量を表示する。具体的には、ディスプレイ１１は、液晶パネル、このパネルを背面から照明するバックライト、液晶パネルに対して電気信号を供給する駆動回路等から構成されている。なお、ディスプレイ１１は、有機ＥＬ（Electro-Luminescence）ディスプレイなどであってもよい。
【００１５】
なお、ディスプレイ１１による計測量の表示は、計測値を数字や文字で具体的に表示する態様だけでなく、バーグラフや指針画像を表示することで、ユーザに計測量を対比判読させる態様を含む。
【００１６】
意匠板１２は、例えば、ポリカーボネート等の透光性板材の前面と背面との少なくとも一方に印刷層を形成したものである。意匠板１２は、ディスプレイ１１の前面側に位置し、形成された開口部１２ａからディスプレイ１１の表示面を覗かせる一方で、板材の略全域に渡って形成された遮光性印刷部分で、ディスプレイ１１の表示面以外の部分を覆い隠す。
【００１７】
なお、意匠板１２の遮光性印刷部分の所定箇所に、例えば、切り欠き状（抜き文字状）に透光部分を設け、この透光部分により、方向指示器の状態や、ライトの点灯状態などの各種警告を表す記号（文字、図形、アイコンを含む）を形成し、ワーニング表示を実現してもよい。この場合、回路基板２０に実装された光源（例えばＬＥＤ（Light Emitting Diode））によって前記の透光部分が背後から照明されることにより、ワーニング表示が点灯状態となる。
【００１８】
回路基板２０は、図示しない制御部やワーニング表示を点灯するための光源などが実装されたプリント回路板から構成される。回路基板２０は、ディスプレイ１１の背面側に位置する。
制御部は、マイクロコンピュータ等から構成され、ＥＣＵ（Electronic Control Unit）や、車速センサ等の各種センサから、各種の計測量を示すデータを取得する。このように取得したデータに基づいて、制御部は、ディスプレイ１１に車速などの計測量を表示させる。また、例えば、制御部は、ＥＣＵ等から取得した各種警告を示す信号に応じて、ワーニング用の光源を発光させる。
【００１９】
透光部３０は、透光性を有する板状の部材であり、表示部１０を透かして視認させる。透光部３０は、例えば、ＰＭＭＡ（ポリメタクリル酸メチル樹脂）などの透光性を有する樹脂からなり、表示部１０の前面側に位置する。この実施形態では、透光部３０は、円盤状に形成されている。透光部３０の他の特徴については後述する。
【００２０】
第１ケース４０は、遮光性の樹脂などからなり、透光部３０を保持する。第１ケース４０は、例えば、透光部３０をインサート品としたインサート成形によって成形され、透光部３０と一体化している。
【００２１】
第１ケース４０は、ユーザにとっての表示部１０の視認可能領域Ｒを規定する規定部４１と、透光部３０の外周端部に設けられた枠部４２と、を有する。規定部４１は、透光部３０の背面側に位置する板状の部分であり、表示部１０を覗かせる開口部４１ａを有する。表示装置１００を前面側から見て、透光部３０を透かして、表示部１０のうち開口部４１ａから見える部分が視認可能領域Ｒとなる。
【００２２】
枠部４２は、図１に示すように、平面視でリング状をなしている。枠部４２は、図３に示すように、透光部３０の外周端部の前面を覆う。枠部４２の表面のうち、少なくとも前面側を含むとともにユーザから視認される面には、第１有色層Ｃ１が設けられている。第１有色層Ｃ１は、例えば、金属調の塗装層から構成され、銀色に視認される。このように、第１有色層Ｃ１が設けられた枠部４２は、金属のベゼルのような見栄えとなる。なお、第１有色層Ｃ１の色は任意である。また、図３や、後述の図４〜図６では、見易さを考慮して、透光部３０及び第１ケース４０の断面を示すハッチングを省略した。
【００２３】
第２ケース５０は、遮光性の樹脂などからなり、前面側に開口した箱状に形成されている。第２ケース５０は、第１ケース４０と互いの外周部において嵌合し、一体となって内部に略密閉空間を形成する。この略密閉空間内に、表示部１０と、回路基板２０と、後述のインナーケース６０とが収容される。第１ケース４０と第２ケース５０とは、例えばシール材（図示せず）を介して結合され、結合部分が防水される。
【００２４】
インナーケース６０は、樹脂材から形成され、ディスプレイ１１を収容する。インナーケース６０の背面側には、回路基板２０が固定されている。
【００２５】
なお、表示部１０や回路基板２０などの内機は、第１ケース４０や第２ケース５０に固定されていてもよい。内機は、両ケースに挟持される構造などであってもよい。内機のケースに対する固定・配設構造は、組み付けの容易さや、耐振性などを考慮の上、適切なものを採用すればよい。また、第１ケース４０、第２ケース５０及びインナーケース６０のうち、少なくともいずれかは、複数の部材が組み合わされて構成されていてもよい。
【００２６】
（透光部３０について）
ここからは、透光部３０の特徴について、図３を参照して、より具体的に説明する。透光部３０のうち、枠部４２と隣り合う部分の前面側には、背面側に向かって凹む溝３１が形成されている。溝３１は、例えば、その幅（図３での左右方向の幅）が数ｍｍに形成され、その深さ（図３での上下方向の深さ）が数ｍｍに形成されている。この実施形態では、枠部４２がリング状に形成されているため、溝３１は、平面視で見た場合、枠部４２の内周側にリング状に形成される。また、溝３１の底面３１ａは、溝３１の開口端（透光部３０の前面側の端）よりも幅が狭くなっている。これにより、溝３１は、断面視で台形状をなしている。例えば、底面３１ａは、透光部３０の前面と背面との少なくともいずれかと平行に形成される。
【００２７】
また、透光部３０の背面側において溝３１及び枠部４２と対向する部分には、第２有色層Ｃ２が設けられている。第２有色層Ｃ２は、例えば、透光部３０の背面上にスクリーン印刷やパッド印刷により形成された印刷層である。第２有色層Ｃ２は、第１有色層Ｃ１と同一の色で形成されている。例えば、第２有色層Ｃ２は、金属調の印刷層から構成され、銀色に視認される。
【００２８】
なお、第２有色層Ｃ２は、第１有色層Ｃ１と同一又は類似の色で形成されていればよい。ここで、第２有色層Ｃ２が第１有色層Ｃ１と同一の色で形成されるとは、第２有色層Ｃ２が第１有色層Ｃ１と同じ成分の顔料（塗料）で構成されるだけに限らず、第１有色層Ｃ１と顔料の成分が異なる場合であっても、視認者が「同じ色である」と認識できる色で第２有色層Ｃ２が形成されていることも含む。
また、第２有色層Ｃ２が第１有色層Ｃ１と類似の色で形成されるとは、後述のように、溝３１に枠部４２を着色するための顔料が意図せず付着してしまった場合に、当該顔料が付着したことに起因する枠部４２と透光部３０との境界部分の見栄えの低下を抑える、という効果が発揮できる程度で、第２有色層Ｃ２が第１有色層Ｃ１と類似した色を有していることである。例えば、第１有色層Ｃ１が銀色で第２有色層Ｃ２がグレー、第１有色層Ｃ１が金色で第２有色層Ｃ２が黄色や黄土色などの場合であっても、上述の効果が発揮できる場合には、第２有色層Ｃ２が第１有色層Ｃ１と類似の色を有していると言える。
【００２９】
また、透光部３０の背面側において、第２有色層Ｃ２と隣り合う箇所であって、透光部３０の中心Ｏ（図２参照）側には、第２有色層Ｃ２とは異なる色の第３有色層Ｃ３が形成されている。なお、透光部３０の中心Ｏ側は、図３での右側に相当する。図３に示すように、第３有色層Ｃ３と第２有色層Ｃ２との境界は、溝３１の内周側の開口端と概ね一致（丁度一致も含む）するように設定される。
【００３０】
第３有色層Ｃ３は、例えば、黒色で形成され、透光部３０の背面上にスクリーン印刷やパッド印刷により形成された印刷層である。第３有色層Ｃ３は、図２に示す視認可能領域Ｒよりも透光部３０の外周側に形成されている。つまり、第３有色層Ｃ３は、視認可能領域Ｒの外縁から第２有色層Ｃ２との境界まで、概ねベタ状に形成されている。なお、第３有色層Ｃ３の所定箇所に、意匠板１２と同様に切り欠き状（抜き文字状）に透光部分を設けたり、他の色による加飾部（文字や意匠など）を設けたりしてもよい。表示装置１００の構成の説明は以上である。
【００３１】
ここで、枠部４２の着色工程の一例を説明する。
枠部４２の着色工程の前に、透光性樹脂を射出成形することで、溝３１を有する透光部３０を成形する。そして、透光部３０の背面上にスクリーン印刷やパッド印刷などで第２有色層Ｃ２及び第３有色層Ｃ３を形成する。このようにして印刷層が形成された透光部３０をインサート品として、第１ケース４０をインサート成形する。これにより、透光部３０と第１ケース４０は一体化する。
このように一体化した透光部３０及び第１ケース４０を用意した後に、図４に示すように、透光部３０を塗装から保護するマスキング治具１を透光部３０の前面側に装着する。マスキング治具１は、透光部３０の溝３１と嵌め合わされて溝３１を塗装から保護するとともに、透光部３０の溝３１よりも内側の前面を塗装から保護する。このようにマスキング治具１を装着した後に、例えばスプレーガンを用いて顔料を枠部４２に噴射し、枠部４２を着色する。なお、枠部４２を良好に着色でき、且つ、透光部３０に枠部４２を着色するための顔料が付着しない限りにおいては、枠部４２へ着色は、スプレー着色方式に限られず、他の公知の着色方式を用いてもよい。以上のようにして、枠部４２に付着させた顔料を乾燥させることで、図３に示すように、枠部４２に第１有色層Ｃ１が形成される。
【００３２】
以上のように枠部４２を着色する工程で、マスキング治具１と透光部３０との間に顔料（塗料）が入り込んでしまう場合がある。しかしながら、以上に説明した構成の表示装置１００によれば、透光部３０に溝３１が設けられているため、溝３１に枠部４２を着色するための顔料が意図せず付着してしまったとしても、当該顔料が目立ちにくい。これにより、着色された枠部４２と、透光部３０との境界部分の見栄えを良好に保つことができる。なお、第３有色層Ｃ３の代わりに透明（有色透明も含む）な印刷層を透光部３０に設けてもよいし、第３有色層Ｃ３を省略することも可能である。
【００３３】
また、透光部３０の背面側における溝３１及び枠部４２と対向する部分には、第１有色層Ｃ１と同一又は類似の色による第２有色層Ｃ２（背面側有色層の一例）が設けられている。これにより、枠部４２を着色するための顔料が意図せず、溝３１に付着してしまったとしても、ユーザが溝３１を介して視認する色は、枠部４２に形成された第１有色層Ｃ１と同一又は類似した第２有色層Ｃ２の色であるため、当該顔料が、枠部４２と透光部３０との境界部分に付着していることが目立ちにくい。結果として、着色された枠部４２と、透光部３０との境界部分の見栄えを良好に保つことができる。
【００３４】
また、透光部３０の背面には、第２有色層Ｃ２（背面側有色層の一例）とは異なる色による第３有色層Ｃ３（特定有色層の一例）が形成され、第３有色層Ｃ３は、第２有色層Ｃ２と隣り合うとともに、第２有色層Ｃ２よりも透光部３０の中心Ｏ側に位置する。これにより、枠部４２を着色するための顔料が目立ちにくいだけでなく、第２有色層Ｃ２と第３有色層Ｃ３との境界を明瞭に視認させることができるため、枠部４２と透光部３０との境界部分の見栄えを、より良好にすることができる。
【００３５】
（変形例１）
以上の実施形態では、透光部３０の背面側における溝３１及び枠部４２と対向する部分に形成される第２有色層Ｃ２と隣り合う位置に、第３有色層Ｃ３を形成した例を示したが、これに限られない。例えば、図５に示すように、第２有色層Ｃ２と第３有色層Ｃ３との間に、第４有色層Ｃ４を形成してもよい。第４有色層Ｃ４は、透光部３０の外周側から中心Ｏ側に向かって、第２有色層Ｃ２の色から、第３有色層Ｃ３の色へと徐々に変化していくグラデーション態様の色合いで形成される。例えば、第２有色層Ｃ２が銀色で、第３有色層Ｃ３が黒色である場合、第４有色層Ｃ４は、透光部３０の外周側から中心Ｏ側に向かって、銀色から黒色へと徐々に変化していくグラデーション態様の色合いで形成される。第４有色層Ｃ４は、例えば、透光部３０の背面上にスクリーン印刷やパッド印刷により形成された印刷層である。また、図５に示すように、第４有色層Ｃ４と第２有色層Ｃ２との境界は、溝３１の内周側の開口端と概ね一致（丁度一致も含む）するように設定される。なお、第４有色層Ｃ４の幅（図５での左右方向の幅）は、任意であり、デザインを鑑みて決定すればよい。つまり、透光部３０の背面に、第２有色層Ｃ２（背面側有色層の一例）とは異なる色による第４有色層Ｃ４（特定有色層の他の例）を形成し、第４有色層Ｃ４は、第２有色層Ｃ２と隣り合うとともに、第２有色層Ｃ２よりも透光部３０の中心Ｏ側に位置していてもよい。
【００３６】
この変形例１のように第４有色層Ｃ４を設ければ、溝３１に枠部４２を着色するための顔料が意図せず付着してしまったとしても、当該顔料が、透光部３０を透かして視認される第４有色層Ｃ４が有するグラデーション態様の一部であるかのような錯覚を生じさせることができ、枠部４２と透光部３０との境界部分の見栄えを、良好に保つことができる。
【００３７】
なお、第３有色層Ｃ３の代わりに透明（有色透明も含む）な印刷層を透光部３０に設ける、又は、第３有色層Ｃ３を省略した場合には、第４有色層Ｃ４を、透光部３０の外周側から中心Ｏ側に向かって、第２有色層Ｃ２の色から透明へと徐々に変化していくグラデーション態様で形成すればよい。また、前記の実施形態で説明した、図３に示す第２有色層Ｃ２自体を、第４有色層Ｃ４のようなグラデーション態様で形成してもよい。このように形成した場合も、前記の効果を失わない限りにおいては、第２有色層Ｃ２が第１有色層Ｃ１と類似の色で形成される場合に含まれる。
【００３８】
（変形例２）
以上の実施形態では、溝３１の底面３１ａが透光部３０の前面と背面との少なくともいずれかと平行に形成される例を示したが、図６に示すように、底面３１ａを斜めに形成してもよい。図６の例では、溝３１は、透光部３０の外周側よりも中心Ｏ側の方が深く形成されていることによって、底面３１ａが傾斜している。このように、溝３１を、図６における右下方に傾斜する底面３１ａを有するように形成すれば、第２有色層Ｃ２の像を示す光が底面３１ａで屈折してユーザの眼に届くため、透光部３０を介して視認される第２有色層Ｃ２は、第２有色層Ｃ２の外周側が中心Ｏ側に偏って視認されることになる。結果として、第２有色層Ｃ２と、第２有色層Ｃ２と隣り合う有色層（図６の例では、第４有色層Ｃ４）との境界部を目立たなくすることができる。これにより、溝３１に枠部４２を着色するための顔料が意図せず付着したことによる見栄えの低下を抑制するための第２有色層Ｃ２の存在を自然に見せることができる。
なお、第２有色層Ｃ２と隣り合う有色層は、図３に示したように、第３有色層Ｃ３であってもよい。また、溝３１を、透光部３０の中心Ｏ側よりも外周側の方を深く形成することにより、底面３１ａが傾斜させてもよい。つまり、底面３１ａを、図６における左下方に傾斜するように構成してもよい。こうすれば、第２有色層Ｃ２と隣り合う有色層の像を示す光が底面３１ａで屈折してユーザの眼に届くため、透光部３０を介して視認される第２有色層Ｃ２と隣り合う有色層の像が、外周側へ偏って視認されることになる。結果として、第２有色層Ｃ２と、第２有色層Ｃ２と隣り合う有色層との境界部を目立たなくすることができる。つまり、溝３１の底面３１ａを、透光部３０の前面と背面との少なくともいずれかに対して傾斜して構成してもよい。なお、溝３１の底面３１ａを曲面上に形成してもよい。
【００３９】
なお、本発明は以上の実施形態及び図面によって限定されるものではない。本発明の要旨を変更しない範囲で、適宜、変更（構成要素の削除も含む）を加えることが可能である。
【００４０】
以上では、第２有色層Ｃ２（背面側有色層の一例）が、透光部３０の背面側における溝３１及び枠部４２と対向する部分に渡って設けられている例を示したが、これに限られない。透光部３０との境界部分の見栄えを良好に保つという効果を発揮することができる限りにおいては、第２有色層Ｃ２（背面側有色層の一例）は、透光部３０の背面側において、少なくとも溝３１と対向する部分に設けられていればよい。また、第２有色層Ｃ２を、第１ケース４０の規定部４１に設けることもできる。但し、容易に製造するという観点からは、第２有色層Ｃ２は、透光部３０の背面に形成することが好ましい。
【００４１】
また、透光部３０と第１ケース４０とは、インサート成形により一体化される態様に限られない。透光部３０と第１ケース４０とは、嵌合、溶着などで一体化されていてもよい。
【００４２】
以上では、表示部１０のディスプレイ１１が車両に関する計測量を画像により報知する例を示したが、これに限られない。表示部１０は、計測量に限らず、カーナビゲーション情報や周辺の注意物体を報知するための情報など、車両に関する情報を表示するものであればよい。また、ディスプレイ１１の代わりに、又はディスプレイ１１と併せて、表示装置１００の透光部３０の背面側にアナログの指針式計器を設けても良い。
【００４３】
以上では、透光部３０が円盤状で、枠部４２がリング状である例を説明したが、透光部３０及び枠部４２の各々の形状は任意である。また、透光部３０は平板状に限られず、例えば、凸レンズ形状であってもよい。したがって、溝３１も、透光部３０のうち、枠部４２と隣り合う部分の前面側に設けられている限りにおいては、その形状は任意である。
【００４４】
表示装置１００が搭載される乗り物は、自動二輪車に限定されるものでなく、自動四輪車や航空機などであってもよい。ただし、オートバイク、農耕機械、船舶、スノーモービル、ジェットスキーなど、表示装置１００が屋外に晒され、外光の影響を受けやすい態様で搭載される乗り物に、好適である。
【００４５】
以上の説明では、本発明の理解を容易にするために、重要でない公知の技術的事項の説明を適宜省略した。
【符号の説明】
【００４６】
１００…表示装置
１０…表示部、１１…ディスプレイ、１２…意匠板
２０…回路基板
３０…透光部
３１…溝、３１ａ…底面
４０…第１ケース
４１…規定部、４１ａ…開口部、Ｒ…視認可能領域
４２…枠部
５０…第２ケース
６０…インナーケース
Ｃ１…第１有色層（有色層の一例）
Ｃ２…第２有色層（背面側有色層の一例）
Ｃ３…第３有色層（特定有色層の一例）
Ｃ４…第４有色層（特定有色層の他の一例）
１…マスキング治具
【図１】
2020140152.tif 000003
【図２】
2020140152.tif 000004
【図３】
2020140152.tif 000005
【図４】
2020140152.tif 000006
【図５】
2020140152.tif 000007
【図６】
2020140152.tif 000008